(57)【要約】【課題】  引き戸を開閉しても物品が落下することがない、サッシを利用した吊り掛け装置等を提供できるようにする。【解決手段】  本発明は、サッシ上枠３１に対して着脱自在に取り付け可能な取付装置３に関する。この取付装置３は、サッシ上枠３１に嵌め込まれた引き戸３３の上桟３４の表面に対する当接面１６を有する取付基部１０と、取付基部１０から上方に突出する第１挟持板１１と、第１挟持板１１の裏面に対向した状態で取付基部１０の上方から突出し、第１挟持板１１との間で上方に開口する取付溝１９を構成する第２挟持板１２と、取付溝１９に差し込まれたサッシ上枠３１のフランジ部３２に第１及び第２挟持板１１，１２を固定するための固定部材１３と、を備える。当接面１６から第２挟持板１２の表面までの水平寸法は、上桟３４の表面とフランジ部３２の裏面との間の隙間Ｄ１よりも小さい寸法である。【選択図】図１
2014091036.tif 000002
【特許請求の範囲】
【請求項１】
サッシ上枠に対して着脱自在に取り付け可能な取付装置であって、
前記サッシ上枠に嵌め込まれた引き戸の上桟の表面に対する当接面を有する取付基部と、
前記取付基部から上方に突出する第１挟持板と、
前記第１挟持板の裏面に対向した状態で前記取付基部の上方から突出し、前記第１挟持板との間で上方に開口する取付溝を構成する第２挟持板と、
前記取付溝に差し込まれた前記サッシ上枠のフランジ部に前記第１及び第２挟持板を固定するための固定部材と、を備えており、
前記当接面から前記第２挟持板の表面までの水平寸法が、前記上桟の表面と前記フランジ部の裏面との間の隙間よりも小さい寸法に設定されていることを特徴とする取付装置。
【請求項２】
前記第２挟持板は、前記取付基部に対する上下位置が調節可能となるように当該取付基部に取り付けられている請求項１に記載の取付装置。
【請求項３】
前記固定部材は、前記第１挟持板をその表面から前記取付溝の内部に向かって貫通するように螺合された取付ネジよりなる請求項１又は２に記載の取付装置。
【請求項４】
前記第２挟持板は、その上端縁から裏面側に延びる補強フランジを有し、
前記補強フランジは、前記上桟の上端面と前記サッシ上枠のレール底面との間の隙間よりも小さい厚さに設定されている請求項請求項１〜３のいずれか１項に記載の取付装置。
【請求項５】
請求項１〜４のいずれか１項に記載の取付装置と、
前記取付基部に設けられた物品の吊り掛け部と、を備えていることを特徴とする吊り掛け装置。
【発明の詳細な説明】
【技術分野】
【０００１】  本発明は、サッシ上枠に対して着脱自在に取り付け可能な取付装置と、この装置を備えた吊り掛け装置に関するものである。
【背景技術】
【０００２】  サッシを利用した衣類や洗濯物などの吊り掛け装置として、特許文献１に記載の装置（以下、「従来装置１」という。）が既に知られている。
この従来装置１は、引き戸の上桟に引っ掛け可能なサッシ係止部が上端縁に形成された基板と、この基板の裏面に設けられかつ引き戸のガラス面に吸着可能な吸盤部材と、基板の表面側から前方に突出する吊り掛け部とから構成されている。従って、従来装置１では、サッシ係止部を引き戸の上桟に引っ掛けてから、吸盤を引き戸のガラス面に吸着させることで、引き戸に対して着脱自在に取り付け可能となっている。【０００３】  また、サッシを利用した衣類や洗濯物などの別の吊り掛け装置として、特許文献２に記載の装置（以下、「従来装置２」という。）も既に知られている。
この従来装置２は、引き戸の縦桟の出っ張り部にネジ止め可能な基板部と、この基板部の表面に設けられた片持ち状に姿勢変更自在な吊り掛け部とを備えている。従って、従来装置２では、基板部を引き戸の出っ張り部にネジ止めすることにより、引き戸に対して着脱自在に取付可能となっている。
【先行技術文献】
【特許文献】
【０００４】
【特許文献１】  特開２００１−２８６６９９号公報
【特許文献２】  特開２００６−１５００２９号公報
【発明の概要】
【発明が解決しようとする課題】
【０００５】  上記の従来装置１及び２では、吊り掛け装置の基板部を引き戸の上桟や縦桟に取り付けるようになっているので、引き戸の開閉に伴って吊り掛け装置が水平移動することになる。
従って、衣類や洗濯物などの物品を吊り掛け具に吊り下げた状態で引き戸を開閉すると、それに伴って衣類や洗濯物などの物品も水平移動してしまい、吊り下げた物品が落下する恐れがある。【０００６】  本発明は、上記従来の問題点に鑑み、引き戸を開閉しても物品が落下することがない、サッシを利用した吊り掛け装置等を提供することを目的とする。
【課題を解決するための手段】
【０００７】  本発明の取付装置は、サッシ上枠に対して着脱自在に取り付け可能な取付装置あって、前記サッシ上枠に嵌め込まれた引き戸の上桟の表面に対する当接面を有する取付基部と、前記取付基部から上方に突出する第１挟持板と、前記第１挟持板の裏面に対向した状態で前記取付基部の上方から突出し、前記第１挟持板との間で上方に開口する取付溝を構成する第２挟持板と、前記取付溝に差し込まれた前記サッシ上枠のフランジ部に前記第１及び第２挟持板を固定するための固定部材と、を備えており、前記当接面から前記第２挟持板の表面までの水平寸法が、前記上桟の表面と前記フランジ部の裏面との間の隙間よりも小さい寸法に設定されていることを特徴とする。【０００８】  本発明の取付装置によれば、取付基部の当接面から第２挟持板の表面までの水平寸法が上記の隙間よりも小さい寸法に設定されているので、第２挟持板をその隙間に挿入させた状態で、サッシ上枠のフランジ部を取付溝の内部に差し込むことができる。
そして、この状態で、固定部材により第１及び第２挟持板をサッシ上枠のフランジ部に固定すれば、引き戸と干渉しない状態で取付装置をサッシ上枠に取り付けることができる。【０００９】  このように、本発明の取付装置によれば、引き戸と干渉することなくサッシ上枠に取り付けることができるので、引き戸を開閉しても取付装置が引き戸と一緒に水平移動することがない。
このため、本発明の取付装置を物品の吊り下げ装置の取付部として採用すれば、吊り下げた物品が落下することがない、サッシを利用した吊り下げ装置を提供することができる。【００１０】  本発明の取付装置において、前記第２挟持板は、前記取付基部に対する上下位置が調節可能となるように当該取付基部に取り付けられていることが好ましい。
このようにすれば、第２挟持板の上下位置を調節することで取付溝の深さを変更できるようになるので、フランジ部の高さ寸法が異なるサッシ上枠にも対応することができ、取付装置の汎用性を拡大することができる。【００１１】  本発明の取付装置において、前記固定部材は、例えば、前記第１挟持板をその表面から前記取付溝の内部に向かって貫通するように螺合された取付ネジにより構成できる。
この場合、固定部材を上記取付ネジのみから構成できるので、部品点数が少ない安価な取付装置が得られる。【００１２】  本発明の取付装置において、前記第２挟持板に、その上端縁から裏面側に延びる補強フランジを設ける場合には、前記補強フランジを、前記上桟の上端面と前記サッシ上枠のレール底面との間の隙間よりも小さい厚さに設定することが好ましい。
この場合、補強フランジを引き戸と干渉させることなく、補強フランジによって第２挟持板の強度を増大させることができる。【００１３】  本発明の吊り掛け装置は、上述の本発明の取付装置と、前記取付基部に設けられた物品の吊り掛け部と、を備えていることを特徴とする。
本発明の吊り掛け装置は、上述の本発明の取付装置を備えているので、当該取付装置と同様の作用効果を奏する。
【発明の効果】
【００１４】  以上の通り、本発明によれば、引き戸を開閉しても吊り下げた物品が落下することがない、サッシを利用した吊り掛け装置等を提供することができる。
【図面の簡単な説明】
【００１５】
【図１】  本発明の実施形態に係る取付装置の側面断面図である。
【図２】  同取付装置の平面図である。
【図３】  本発明の実施形態に係る吊り掛け装置の側面図である。
【発明を実施するための形態】
【００１６】  〔吊り掛け装置の構成〕
以下、図面を参照しつつ、本発明の実施形態を説明する。
図１は、本発明の実施形態に係る取付装置３の側面断面であり、図２は、同取付装置３の平面図である。また、図３は、本発明の実施形態に係る吊り掛け装置１の側面図である。
【００１７】  図３に示すように、本実施形態の吊り掛け装置１は、住宅のサッシ上枠３１（図１参照）に取り付けて物干し装置として使用されるものであり、水平方向に長いアーム状に形成された吊り掛け部２と、この吊り掛け部２の基端側（図３の左側）に設けられた取付装置３とを備えている。
吊り掛け部３は、硬質プラスチック等の合成樹脂よりなり、半円状の引っ掛け凹部４を先端部に有し、円形孔よりなる複数の引っ掛け孔５を中途部に有する。
【００１８】  〔取付装置の構成〕
ここで、本明細書では、図１及び図２において、各部材の右側（吊り掛け装置を取り付ける側）の面を「表面」といい、各部材の左側の面を「裏面」というものとする。
図１及び図２に示すように、取付装置３は、取付基部１０と、第１挟持板１１と、第２挟持板１２と、取付ネジよりなる固定部材１３と、を備えている。
【００１９】  取付基部１０は、上記吊り掛け部３の基端部に一体成形された樹脂部材よりなり、第１及び第２挟持板１１，１２の下半部が収納されるプレート収納部１５を基端側に有する。
本実施形態では、取付基部１０の基端面は、上下方向に長いほぼ真っ直ぐな縁面に形成されている。この縁面は、サッシ上枠１６のレールに嵌め込まれた引き戸３３の上桟３４の表面に対する当接面１６となっている。
【００２０】  第１挟持板１１は、上下方向の途中で表面側に延びる段差が形成された金属製の屈曲板よりなり、第２挟持板１２は、裏面側に延びる補強フランジ１７が上端に形成された金属製の屈曲板よりなる。
第１及び第２挟持板１１，１２の下半部は、第１挟持板１１が表面側（図１の右側）となり第２挟持板１２が裏面側（図１の左側）となるように、上記プレート収容部１５に重ね合わさった状態で収納されている。
【００２１】  第１及び第２挟持板１１，１２の下半部は、これらに形成された挿通孔に裏面側から挿通した止めネジ１８を取付基部１０に螺合することにより、当該下半部が重ね合わさった状態で取付基部１０に取り付けられている
第１及び第２挟持板１１，１２の上半部は、下半部を取付基部１０に取り付けた状態において当該取付基部１０から上方に突出している。また、第１挟持板１１の上半部は、段差が形成されている分だけ第２挟持板１２の上半部から表面側に離れている。
【００２２】  すなわち、第２挟持板１２の上半部は、第１挟持板１１の上半部の裏面に対向した状態で取付基部１０の上方から突出しており、第１挟持板１１の上半部との間で、上方に開口する取付溝１９を構成している。
取付ネジよりなる固定部材１３は、第１挟持板１１の上半部をその表面から取付溝１８の内部に向かって貫通するように螺合されており、ネジ部の先端が取付溝１９の内部に位置している。
【００２３】  なお、固定部材１３のネジ部の先端には、固定部材１３を締め付けた場合にサッシ上枠３１のフランジ部３２が損傷するのを防止するための、ゴムその他の軟質樹脂製のキャップ２０が設けられている。
また、第２挟持板１２のネジ挿通孔１２Ａは、上下方向に長い長孔になっている。これにより、第２挟持板１２は、取付基部１０に対する上下位置が調節可能となるように当該取付基部１０に取り付けられている。
【００２４】  図１に示すように、取付基部１０の当接面１６から第２挟持板１１の表面までの水平寸法は、引き戸３３の上桟３４の表面とサッシ上枠３１のフランジ部３２の裏面との間の「隙間Ｄ１」よりも小さい寸法に設定されている。
また、図１に示すように、第２挟持板１２の補強フランジ１７は、引き戸３３の上桟３４の上端面とサッシ上枠３１のレール底面との間の「隙間Ｄ２」よりも小さい厚さに設定されている。
【００２５】  〔使用方法と作用〕
本実施形態の吊り掛け装置１を使用するには、一方の引き戸３３を開放した状態として、第２挟持板１２の各部を隙間Ｄ１，Ｄ２にそれぞれ挿入するようにして、サッシ上枠３１のフランジ部３２を取付溝１９の内部に差し込む。
この状態で、固定部材１３を締め付け方向にねじ込み、固定部材１３の先端と第２挟持板１２との間でフランジ部３２を挟圧することにより、第１及び第２挟持板１１，１２をサッシ上枠３１に取り付ける。
【００２６】  この場合、取付基部１０の当接面１６から第２挟持板１２の表面までの水平寸法が上記隙間Ｄ１よりも小さい寸法に設定され、第２挟持板１２の補強フランジ１７が上隙間Ｄ２よりも小さい厚さに設定されているので、吊り掛け装置１の取付装置３が引き戸３３に干渉することがない。
上記のようにして吊り掛け装置１をサッシ上枠３１に取り付けた後は、引っ掛け凹部４等に衣類や洗濯物のハンガー等などを吊り下げるようにすればよい。
【００２７】  本実施形態の吊り掛け装置１によれば、その基端部に設けられた取付装置３により、引き戸３３と干渉することなくサッシ上枠３１に取り付けられるので、引き戸３３を開閉しても、取付装置３や吊り掛け装置１が引き戸３３と一緒に水平移動することがない。
このため、引き戸３３を開閉しても物品が落下することがない、サッシを利用した吊り下げ装置１を提供することができる。
【００２８】  また、本実施形態の吊り掛け装置１によれば、第２挟持板１２が、取付基部１０に対する上下位置が調節可能となるように当該取付基部１０に取り付けられているので、第２挟持板１２の上下位置を調節することで取付溝１９の深さを変更することができる。
このため、フランジ部３２の高さ寸法が異なるサッシ上枠３１にも取付装置３を適切に取り付けることができ、吊り下げ装置１の汎用性を拡大できるという利点もある。
【００２９】  なお、本発明は上記実施形態に限定されるものではない。
例えば、上記実施形態では、吊り掛け装置１が物干しとして利用される場合を例示したが、本発明の吊り掛け装置１は、衣類や洗濯物以外のユーザーが所望する他の物品を吊り下げる装置として使用することもできる。
【符号の説明】
【００３０】  １：吊り掛け装置    ２：吊り掛け部    ３：取付装置
１０：取付基部    １１：第１挟持板    １２：第２挟持板
１３：固定部材    １５：プレート収納部    １６：補強フランジ
１８：止めネジ    １９：取付溝    ３１：サッシ上枠    ３２：フランジ部
３３：引き戸    ３４：上桟
【図１】
2014091036.tif 000003
【図２】
2014091036.tif 000004
【図３】
2014091036.tif 000005